(57)【要約】      （修正有）【課題】ホースが確実に接続されたことを簡単に確認可能として放出点検装置の接続とホース接続の戻し忘れを防止する。【解決手段】消火栓弁を含む給水配管の雄継手６２に、ノズル付きの消防用ホース６６の雌継手６４を着脱自在に連結している。消火栓装置の放出点検時には、消防用ホース６６を外し、試験ホースの雌継手６２を給水配管の雄継手６２に嵌め入れて放出試験を行う。雄継手６２に設けられた押輪８４を雌継手６４に押し込むことで連結固定が解除される。押輪８４は雄継手６２の雄継手本体８０の外周に摺動自在に配置され、雄継手本体８０の外周には赤色の色帯１０４が設けられ、雄継手６２に対する雌継手６４の連結解除状態での押輪８４の摺動により色帯１０４の一部又は全部が現れ、雄継手６２に対する雌継手６４の連結状態での押輪８４の摺動により色帯１０４が隠され、色帯１０４の見え方で、連結固定と連結解除が容易に見分けできる。【選択図】図３
2018157960.tif 000002
【特許請求の範囲】
【請求項１】
先端にノズルが装着された消防用ホースの付け根側に配置され、連結穴の内周に径方向に出没自在に係止爪が配置された雌継手と、
少なくとも消火栓弁を備えた給水配管の終端に配置され、先端外周に環状突起が形成され、前記環状突起を前記雌継手の前記連結穴に挿入した場合に前記係止爪を押し上げてその先に移動して抜け止め状態に連結固定される雄継手と、
前記雄継手の外周に軸方向に摺動自在に配置される円筒体と、前記円筒体の後端に形成された押圧フランジとで構成され、前記雌継手と前記雄継手が連結固定された状態で、前記円筒体を前記雌継手の前記連結穴と前記雄継手との間の隙間に押し込むことによる前記係止爪の押し上げにより前記雌継手と前記雄継手との連結固定を解除させる押輪と、
を備えた消火栓装置のホース継手装置に於いて、
前記雄継手の円筒部の外周に配置され、前記雄継手に対する前記雌継手の連結解除状態での前記押輪の摺動位置で一部又は全部が現れ、前記雄継手に対する前記雌継手の連結状態での前記押輪の摺動位置で隠される色帯が設けられたことを特徴とするホース継手装置。
【請求項２】
先端にノズルが装着された消防用ホースの付け根側に配置され、連結穴の内周に径方向に出没自在に係止爪が配置された雌継手と、
少なくとも消火栓弁を備えた給水配管の終端に配置され、先端外周に環状突起が形成され、前記環状突起を前記雌継手の前記連結穴に挿入した場合に前記係止爪を押し上げてその先に移動して抜け止め状態に連結固定される雄継手と、
前記雄継手の外周に軸方向に摺動自在に配置される円筒体と、前記円筒体の後端に形成された押圧フランジとで構成され、前記雌継手と前記雄継手が連結固定された状態で、前記円筒体を前記雌継手の前記連結穴と前記雄継手との間の隙間に押し込むことによる前記係止爪の押し上げにより前記雌継手と前記雄継手との連結固定を解除させる押輪と、
を備えた消火栓装置のホース継手装置に於いて、
前記雄継手の外周に、前記押輪に続いて軸方向に摺動自在に配置された移動リングと、
前記移動リングの外周軸方向に配置され、前記押輪との間を所定間隔に規制するロッド部材と、
前記雄継手の円筒部の外周に配置され、前記雄継手に対する前記雌継手の連結解除状態での前記押輪の摺動位置で一部又は全部が現れ、前記雄継手に対する前記雌継手の連結状態での前記押輪の摺動位置で隠される第１の色帯と、
前記第１の色帯に続いて配置され、前記雄継手に対する前記雌継手の連結解除状態での前記押輪の摺動位置で前記移動リングにより隠され、前記雄継手に対する前記雌継手の連結状態での前記押輪の摺動による前記ロッド部材を介した前記移動リングの摺動で現れる第２の色帯と、
が設けられたことを特徴とするホース継手装置。
【請求項３】
先端にノズルが装着された消防用ホースの付け根側に配置され、連結穴の内周に径方向に出没自在に係止爪が配置された雌継手と、
少なくとも消火栓弁を備えた給水配管の終端に配置され、先端外周に環状突起が形成され、前記環状突起を前記雌継手の前記連結穴に挿入した場合に前記係止爪を押し上げてその先に移動して抜け止め状態に連結固定される雄継手と、
前記雄継手の外周に軸方向に摺動自在に配置される円筒体と、前記円筒体の後端に形成された押圧フランジとで構成され、前記雌継手と前記雄継手が連結固定された状態で、前記円筒体を前記雌継手の前記連結穴と前記雄継手との間の隙間に押し込むことによる前記係止爪の押し上げにより前記雌継手と前記雄継手との連結固定を解除させる押輪と、
を備えた消火栓装置のホース継手装置に於いて、
前記雄継手に前記雌継手が連結固定された状態で所定位置に摺動された前記押輪の前記押圧フランジに係合する押輪固定機構が設けられたことを特徴とするホース継手装置。
【請求項４】
請求項３記載のホース継手装置に於いて、
前記押輪固定機構は、
前記雄継手の近傍に配置された固定台と、
前記固定台にヒンジを介して前記押輪の外周周りに開閉自在に配置され、前記押輪の前記押圧フランジを挟む固定溝が形成された押輪固定板と、
前記押輪固定板を前記押輪の固定位置と固定解除位置に操作させる操作レバーと、
を備えたことを特徴とするホース継手装置。
【請求項５】
請求項４記載のホース継手装置に於いて、
前記押輪固定板の前記固定解除位置を、消火栓装置の前傾扉の閉鎖を妨げる位置としたことを特徴とするホース継手装置。
【請求項６】
請求項３記載のホース継手装置に於いて、
前記押輪固定機構は、
前記雄継手の近傍に配置された固定台と、
前記固定台に載置され、所定角度範囲間で回転されて回転軸を固定位置と固定解除位置との間で移動させる偏心カム部材と、
前記偏心カム部材を前記所定角度範囲の間で回転操作させる操作レバーと、
前記偏心カム部材の回転軸に回動自在に軸支され、前記押輪の前記押圧フランジを挟む固定溝が形成された押輪固定板と、
を備え、
前記操作レバーにより前記偏心カム部材を所定の固定角度位置に操作した場合に前記押輪固定板の前記固定溝を前記押輪の前記押圧フランジを挟む固定位置とし、前記操作レバーにより前記偏心カム部材を所定の固定解除角度位置に操作した場合に前記押輪固定板の前記固定溝を前記押輪の前記押圧フランジから外れた固定解除位置とするように構成されたことを特徴とするホース継手装置。
【請求項７】
請求項６記載のホース継手装置に於いて、
前記操作レバーの前記固定解除角度位置を、消火栓装置の前傾扉の閉鎖を妨げる位置としたことを特徴とするホース継手装置。
【請求項８】
先端にノズルが装着された消防用ホースの付け根側に配置され、連結穴の内周に径方向に出没自在に係止爪が配置された雌継手と、
少なくとも消火栓弁を備えた給水配管の終端に配置され、先端外周に環状突起が形成され、前記環状突起を前記雌継手の前記連結穴に挿入した場合に前記係止爪を押し上げてその先に移動して抜け止め状態に連結固定される雄継手と、
前記雄継手の外周に軸方向に摺動自在に配置される円筒体と、前記円筒体の後端に形成された押圧フランジとで構成され、前記雌継手と前記雄継手が連結固定された状態で、前記円筒体を前記雌継手の前記連結穴と前記雄継手との間の隙間に押し込むことによる前記係止爪の押し上げにより前記雌継手と前記雄継手との連結固定を解除させる押輪と、
を備えた消火栓装置のホース継手装置に於いて、
ハンドル操作により前記押輪を前記雄継手に対する前記雌継手の連結位置と連結解除位置とに移動させる押輪駆動機構が設けられたことを特徴とするホース継手装置。
【請求項９】
請求項８記載のホース継手装置に於いて、
前記押輪駆動機構は、
前記雄継手を挟んで両側に起立された支持アームと、
前記支持アームに軸支され、所定角度範囲となる連結角度位置と連結解除角度位置との間で回転されて、前記押輪を前記雄継手と前記雌継手の連結位置と連結解除位置との間で移動させる偏心カム部材と、
前記偏心カム部材を前記連結角度位置と連結解除角度位置との間で回転操作させる操作レバーと、
を備えことを特徴とするホース継手装置。
【請求項１０】
請求項１乃至９の何れかに記載のホース継手装置に於いて、前記押輪に形成された押圧フランジに、軸中心に対して外径両方向に張出した長手フランジ部が形成されたことを特徴とするホース継手装置。
【発明の詳細な説明】
【技術分野】
【０００１】
本発明は、火災発生時にノズル付きホースを引き出して消火する消火栓装置の放出点検に用いられるホース継手装置に関する。
【背景技術】
【０００２】
従来、高速道路や自動車専用道路などのトンネル内に設置する消火栓装置は、開放自在な前傾扉を備えた筐体の消火栓収納部に、先端に消火用ノズルを装着したホースとバルブ類を収納し、また、開閉自在な消火器扉を備えた消火器収納部に例えば２本の消火器を収納している。このような消火栓装置は、トンネル内に設けた監視員通路に面した壁面に沿って例えば５０メートル間隔で設置している。
【０００３】
火災を伴う車両事故が発生した場合には、事故車両の運転者等の利用者は、消火栓装置の前傾扉を開いてノズル付きの消防用ホースを引き出し、消火栓弁開閉レバーを操作することで消火ポンプ設備を起動して放水することにより消火作業を行うことができる。
【０００４】
また、消火栓装置に設けた消火ノズルがゴミ等で詰まったり、消防用ホースが破けたり、調圧機能などの配管系が故障したりして、消火作業が行えなくなることを防ぐために定期的に点検装置を用いて放出点検を行っている。
【０００５】
従来の消火栓装置に設けられた放出点検装置としては、例えば、特許文献１〜３に示されるものがあり、いずれも放出点検後の復旧作業を容易にすることができると共に、それに要する作業時問を短くすることができる。
【０００６】
特許文献１においては、消防用ホースの１次側に設けられた三方切替弁により、２次側流路を消防用ホース側流路から放出点検装置側流路に切り替えて、放出点検装置により消火栓の放出点検を行う点検方法を提案している。
【０００７】
また、特許文献２においては、管状体と接続基底部と、消火用ノズルを接続可能なノズル接続端部を備えるとともに、ホース側流路を流れる消火剤に生じる圧力損失と同等の圧力損失を放出点検装置側流路に流れる消火剤に生じさせる圧力調整手段を備えることを特徴とする放出点検装置を提案としている。また圧力調整手段は例えばオリフィスとし、さらに放出圧を測定する圧力計を備えている放出点検装置としている。
【０００８】
更に、特許文献３においては、管状体と接続基底部と、消火用ノズルを接続可能なノズル接続端部を備えるとともに、ホース側流路を流れる消火剤に生じる圧力損失と同等の圧力損失を放出点検装置側の流路に流れる消火剤に生じさせる圧力調整手段を備え、さらに管状体が保形ホース又はゴムホース等の柔軟な材料により形成されていることを特徴とする放出点検装置を提案している。
【先行技術文献】
【特許文献】
【０００９】
【特許文献１】特開２００１−０９５９３９号公報
【特許文献２】特開２００２−０２８２５７号公報
【特許文献３】特開２０１０−０４２２７６号公報
【特許文献４】特開２００７−２７５４７９号公報
【発明の概要】
【発明が解決しようとする課題】
【００１０】
しかしながら、このような従来の消火栓装置は、いずれの場合も三方弁或いはホース側流路を遮断して、点検装置側に切り替える放出点検装置を、ホース１次側に付加することとしている。しかしながら、このような装置を付加することには、次の課題がある。
【００１１】
まず、放出点検装置を付加することにより、消火栓装置としての故障率が上昇し、三方弁等の構造によっては、消火活動の障害となるような故障モードになる可能性がある。
【００１２】
また、三方弁自体の点検や維持管理作業が増えるため、消火栓装置の放出点検の効率は向上することはあるものの、全体として考えれば点検作業の効率化は大きくない。更に、三方弁等を付加するため、コストアップとなる。
【００１３】
一方、三方弁を設置せず簡単に点検ができる方法については、特許文献４において、消防用ホースの接続部を外して、放出点検装置を当該接続部に接続し、放出、点検をする方法が示されている。
【００１４】
このような消火栓装置のホース接続は、町野式として知られたホース継手が用いられている。町野式のホース継手は、消火栓弁が設けられた給水配管の先端に雄継手を装着し、消防用ホースに装着された雌継手を雄継手に嵌めこむことで着脱自在に連結しており、配管側の雄継手に設けられた押輪を消防用ホースの雌継手に押し込むこと、ホース継手の接続を解除して消防用ホースを取り外すことができる。
【００１５】
しかし、このような点検方法にあっては、放出点検後に点検装置をホース継手から外した後、消防用ホースをホース継手に再接続する必要があるが、このとき消火用ホースが確実に装着されないと、消火活動を行うために、消火栓弁を開放して加圧された消火用水を消防用ホースに流水した際に、消防用ホースがホース継手から外れて、消火活動ができなくなる恐れがある。
【００１６】
特にトンネル消火栓にあっては、ホース継手の収納スペースが限られることから、点検員にとっては正常に装着されたかの判定がしにくいという問題がある。勿論、ホース継手による接続の可否を消防用ホース等を持って引っ張り、外れないことを確認するなどの対処方法はあるが、確実性に欠ける問題がある。
【００１７】
またトンネル消火栓装置にあっては、ホース継手の収納スペースが限られることから、消防用ホースをホース継手から外す際に配管側雄継手の押輪が押しにくいという問題があり、また、年に１回程度の点検のため、ホース継手が固着して相当な力がないと外せないという問題がある。
【００１８】
本発明は、消防用ホースが確実に接続されたことを簡単に確認可能として放出点検後の消防用ホースの接続を確実とし、また、消防用ホースを容易に着脱して点検作業の利便性を向上することを可能とする消火栓装置のホース継手装置を提供することを目的とする。
【課題を解決するための手段】
【００１９】
（第１発明のホース継手装置：非接続表示の色帯）
本発明は、
先端にノズルが装着された消防用ホースの付け根側に配置され、連結穴の内周に径方向に出没自在に係止爪が配置された雌継手と、
少なくとも消火栓弁を備えた給水配管の終端に配置され、先端外周に環状突起が形成され、環状突起を雌継手の連結穴に挿入した場合に係止爪を押し上げてその先に移動して抜け止め状態に連結固定される雄継手と、
雄継手の外周に軸方向に摺動自在に配置される円筒体と、円筒体の後端に形成された押圧フランジとで構成され、雌継手と雄継手が連結固定された状態で、円筒体を雌継手の連結穴と雄継手との間の隙間に押し込むことによる係止爪の押し上げにより雌継手と雄継手との連結固定を解除させる押輪と、
を備えた消火栓装置のホース継手装置に於いて、
雄継手の円筒部の外周に配置され、雄継手に対する雌継手の連結解除状態での押輪の摺動位置で一部又は全部が現れ、雄継手に対する雌継手の連結状態での前記押輪の摺動位置で隠される色帯が設けられたことを特徴とする。
【００２０】
（第２発明のホース継手装置：接続表示の色帯と非接続表示の色帯）
本発明の他の形態にあっては、
先端にノズルが装着された消防用ホースの付け根側に配置され、連結穴の内周に径方向に出没自在に係止爪が配置された雌継手と、
少なくとも消火栓弁を備えた給水配管の終端に配置され、先端外周に環状突起が形成され、環状突起を雌継手の連結穴に挿入した場合に係止爪を押し上げてその先に移動して抜け止め状態に連結固定される雄継手と、
雄継手の外周に軸方向に摺動自在に配置される円筒体と円筒体の後端に形成された押圧フランジとで構成され、雌継手と雄継手が連結固定された状態で、円筒体を雌継手の連結穴と雄継手との間の隙間に押し込むことによる係止爪の押し上げにより雌継手と雄継手との連結固定を解除させる押輪と、
を備えた消火栓装置のホース接続装置に於いて、
雄継手の外周に、押輪に続いて軸方向に摺動自在に配置された移動リングと、
移動リングの外周軸方向に配置され、押輪との間を所定間隔に規制するロッド部材と、
雄継手の円筒部の外周に配置され、雄継手に対する雌継手の連結解除状態での押輪の摺動位置で一部又は全部が現れ、雄継手に対する雌継手の連結状態での押輪の摺動位置で隠される第１の色帯と、
第１の色帯に続いて配置され、雄継手に対する雌継手の連結解除状態での押輪の摺動位置で移動リングにより隠され、雄継手に対する雌継手の連結状態での押輪の摺動によるロッド部材を介した移動リングの摺動で現れる第２の色帯と、
が設けられたことを特徴とする。
【００２１】
（第３発明のホース継手装置：押輪固定機構）
本発明の他の形態にあっては、
先端にノズルが装着された消防用ホースの付け根側に配置され、連結穴の内周に径方向に出没自在に係止爪が配置された雌継手と、
少なくとも消火栓弁を備えた給水配管の終端に配置され、先端外周に環状突起が形成され、環状突起を雌継手の連結穴に挿入した場合に係止爪を押し上げてその先に移動して抜け止め状態に連結固定される雄継手と、
雄継手の外周に軸方向に摺動自在に配置される円筒体と、円筒体の後端に形成された押圧フランジとで構成され、雌継手と雄継手が連結固定された状態で、円筒体を雌継手の連結穴と雄継手との間の隙間に押し込むことによる係止爪の押し上げにより雌継手と雄継手との連結固定を解除させる押輪と、
を備えた消火栓装置のホース接続装置に於いて、
雄継手に雌継手が連結固定された状態で所定位置に摺動された押輪の押圧フランジに係合する押輪固定機構が設けられたことを特徴とする。
【００２２】
（押輪固定機構１）
押輪固定機構は、
雄継手の近傍に配置された固定台と、
固定台にヒンジを介して押輪の外周周りに開閉自在に配置され、押輪の押圧フランジを挟む固定溝が形成された押輪固定板と、
押輪固定板を押輪の固定位置と固定解除位置に操作させる操作レバーと、
を備える。
【００２３】
（押輪固定機構１による前傾扉の閉鎖阻止）
押輪固定板の固定解除位置を、消火栓装置の前傾扉の閉鎖を妨げる位置とする。
【００２４】
（押輪固定機構２）
押輪固定機構は、
雄継手の近傍に配置された固定台と、
固定台に載置され、所定角度範囲の間で回転されて回転軸を固定位置と固定解除位置との間で移動させる偏心カム部材と、
偏心カム部材を所定角度範囲の間で回転操作させる操作レバーと、
偏心カム部材の回転軸に回動自在に軸支され、押輪の押圧フランジを挟む固定溝が形成された押輪固定板と、
を備え、
操作レバーにより偏心カム部材を所定の固定角度位置に操作した場合に押輪固定板の固定溝を押輪の押圧フランジを挟む固定位置とし、操作レバーにより偏心カム部材を所定の固定解除角度位置に操作した場合に押輪固定板の固定溝を押輪の押圧フランジブから外れた固定解除位置とするように構成される。
【００２５】
（押輪固定機構２による前傾扉の閉鎖阻止）
操作レバーの固定解除角度位置を、消火栓装置の前傾扉の閉鎖を妨げる位置とする。
【００２６】
（第４発明のホース継手装置：押輪固定機構）
本発明の他の形態にあっては、
先端にノズルが装着された消防用ホースの付け根側に配置され、連結穴の内周に径方向に出没自在に係止爪が配置された雌継手と、
少なくとも消火栓弁を備えた給水配管の終端に配置され、先端外周に環状突起が形成され、環状突起を雌継手の連結穴に挿入した場合に係止爪を押し上げてその先に移動して抜け止め状態に連結固定される雄継手と、
雄継手の外周に軸方向に摺動自在に配置される円筒体と、円筒体の後端に形成された押圧フランジとで構成され、雌継手と雄継手が連結固定された状態で、円筒体を雌継手の連結穴と雄継手との間の隙間に押し込むことによる係止爪の押し上げにより雌継手と雄継手との連結固定を解除させる押輪と、
を備えた消火栓装置のホース接続装置に於いて、
ハンドル操作により押輪を雄継手に対する雌継手の連結位置と連結解除位置とに移動させる押輪駆動機構が設けられたことを特徴とする。
【００２７】
（押輪駆動機構）
押輪駆動機構は、
雄継手を挟んで両側に起立された支持アームと、
支持アームに軸支され、所定角度範囲となる連結角度位置と連結解除角度位置との間で回転されて、押輪を雄継手と雌継手の連結位置と連結解除位置との間で移動させる偏心カム部材と、
偏心カム部材を連結角度位置と連結解除角度位置との間で回転操作させる操作レバーと、
を備える。
【００２８】
（押輪の長手フランジ部）
第１乃至第５発明のホース継手装置に於いて、押輪に形成された押圧フランジに、軸中心に対して外径両方向に張出した長手フランジ部が形成される。
【発明の効果】
【００２９】
（第１発明の効果）
本発明は、先端にノズルが装着された消防用ホースの付け根側に配置され、連結穴の内周に径方向に出没自在に係止爪が配置された雌継手と、少なくとも消火栓弁を備えた給水配管の終端に配置され、先端外周に環状突起が形成され、環状突起を雌継手の連結穴に挿入した場合に係止爪を押し上げてその先に移動して抜け止め状態に連結固定される雄継手と、雄継手の外周に軸方向に摺動自在に配置される円筒体と、円筒体の後端に形成された押圧フランジとで構成され、雌継手と雄継手が連結固定された状態で、円筒体を雌継手の連結穴と雄継手との間の隙間に押し込むことによる係止爪の押し上げにより雌継手と雄継手との連結固定を解除させる押輪とを備えた消火栓装置のホース継手装置に於いて、雄継手の円筒部の外周に配置され、雄継手に対する雌継手の連結解除状態での押輪の摺動位置で一部又は全部が現れ、雄継手に対する雌継手の連結状態での前記押輪の摺動位置で隠される色帯が設けられたため、配管側の雄継手に対しホース側の雌継手が連結解除状態か又は連結が不完全な状態では、雄継手の外周に配置された色帯として、例えば赤のカラーバンドの全て又は一部が見え、点検員はホース接続継手による消防用ホースの連結が確実に行われていないことを容易に確認することができ、赤のカラーバンドが見えない場合は、消防用ホースが確実に連結固定されていることを容易に確認でき、放出点検時やホース交換時に安心して消防用ホースを着脱することができ、また、点検終了後に消防用ホースを装着した場合にも正常に装着できたか簡単に確認でき、人為的なミス未然に防止可能とする。
【００３０】
（第２発明の効果）
本発明の他の形態にあっては、先端にノズルが装着された消防用ホースの付け根側に配置され、連結穴の内周に径方向に出没自在に係止爪が配置された雌継手と、少なくとも消火栓弁を備えた給水配管の終端に配置され、先端外周に環状突起が形成され、環状突起を雌継手の連結穴に挿入した場合に係止爪を押し上げてその先に移動して抜け止め状態に連結固定される雄継手と、雄継手の外周に軸方向に摺動自在に配置される円筒体と円筒体の後端に形成された押圧フランジとで構成され、雌継手と雄継手が連結固定された状態で、円筒体を雌継手の連結穴と雄継手との間の隙間に押し込むことによる係止爪の押し上げにより雌継手と雄継手との連結固定を解除させる押輪とを備えた消火栓装置のホース接続装置に於いて、雄継手の外周に、押輪に続いて軸方向に摺動自在に配置された移動リングと、移動リングの外周軸方向に配置され、押輪との間を所定間隔に規制するロッド部材と、雄継手の円筒部の外周に配置され、雄継手に対する雌継手の連結解除状態での押輪の摺動位置で一部又は全部が現れ、雄継手に対する雌継手の連結状態での押輪の摺動位置で隠される第１の色帯と、第１の色帯に続いて配置され、雄継手に対する雌継手の連結解除状態での押輪の摺動位置で移動リングにより隠され、雄継手に対する雌継手の連結状態での押輪の摺動によるロッド部材を介した移動リングの摺動で現れる第２の色帯とが設けられたため、配管側の雄継手に対しホース側の雌継手が連結している場合には雄継手の外周に第１色帯として例えば緑のカラーバンドが見えることで簡単に確認でき、また、連結解除状態では、雄継手の外周に配置された第２色帯として例えば赤のカラーバンドが見え、更に、連結が不完全な状態では、雄継手の外周に配置された第１色帯と第２色帯の両方の一部分、例えば緑のカラーバンドと赤のカラーバンドの一部分が見え、点検員はホース継手による消防用ホースの連結が確実に行われていないことを簡単に確認することができ、放出点検時やホース交換時に安心して消防用ホースを着脱することができ、また、点検終了後に消防用ホースを装着した場合にも正常に装着できたか簡単に確認でき、人為的なミス未然に防止可能とする。
【００３１】
（第３発明の効果）
本発明の他の形態にあっては、先端にノズルが装着された消防用ホースの付け根側に配置され、連結穴の内周に径方向に出没自在に係止爪が配置された雌継手と、少なくとも消火栓弁を備えた給水配管の終端に配置され、先端外周に環状突起が形成され、環状突起を雌継手の連結穴に挿入した場合に係止爪を押し上げてその先に移動して抜け止め状態に連結固定される雄継手と、雄継手の外周に軸方向に摺動自在に配置される円筒体と、円筒体の後端に形成された押圧フランジとで構成され、雌継手と雄継手が連結固定された状態で、円筒体を雌継手の連結穴と雄継手との間の隙間に押し込むことによる係止爪の押し上げにより雌継手と雄継手との連結固定を解除させる押輪とを備えた消火栓装置のホース接続装置に於いて、雄継手に雌継手が連結固定された状態で所定位置に摺動された押輪の押圧フランジに係合する押輪固定機構が設けられたため、押輪固定板が雄継手の押圧フランジを固定しているか否かにより、雄継手に対し雌継手が連結固定されているか連結固定が不完全な状態かが容易に分かり、放出点検時やホース交換時に安心して消防用ホースを着脱することができ、また、点検終了後に消防用ホースを装着した場合にも正常に装着できたか簡単に確認でき、人為的なミス未然に防止可能とする。
【００３２】
（第３発明の押輪固定機構１による効果）
また、押輪固定機構は、雄継手の近傍に配置された固定台と、固定台にヒンジを介して押輪の外周周りに開閉自在に配置され、押輪の押圧フランジを挟む固定溝が形成された押輪固定板と、押輪固定板を押輪の固定位置と固定解除位置に操作させる操作レバーとを備えたため、操作レバーにより押輪固定板を上下に回動操作することで、雌継手と雄継手の連結状態での押輪に対する押輪固定板の着脱が簡単にでき、このとき押輪固定板が押圧フランジを固定する位置に入らなければ、雌継手と雄継手の連結は不完全な状態にあることが簡単に分かり、雄継手に対し雌継手を嵌め直して押輪固定板が押圧フランジを固定する位置に入るようにすることで、確実に連結固定できる。
【００３３】
（押輪固定機構１による前傾扉の閉鎖阻止）
また、押輪固定板の固定解除位置を、消火栓装置の前傾扉の閉鎖を妨げる位置としたため、雌継手と雄継手を正常に連結せずに消火栓装置の前傾扉を閉鎖しようとすると押輪固定板が操作レバーにより前方の突出した位置に操作されているため、消防用ホースの連結を忘れたまま消火栓装置の前傾扉を閉鎖しようとすると、押輪固定板に前傾扉が当たって閉鎖することができず、消防用ホースの連結を忘れたままに点検を終了することが確実に防止できる。
【００３４】
（第３発明の押輪固定機構２による効果）
また、押輪固定機構は、雄継手の近傍に配置された固定台と、固定台に載置され、所定角度範囲の間で回転されて回転軸を固定位置と固定解除位置との間で移動させる偏心カム部材と、偏心カム部材を所定角度範囲の間で回転操作させる操作レバーと、偏心カム部材の回転軸に回動自在に軸支され、押輪の押圧フランジを挟む固定溝が形成された押輪固定板とを備え、操作レバーにより偏心カム部材を所定の固定角度位置に操作した場合に押輪固定板の固定溝を押輪の押圧フランジを挟む固定位置とし、操作レバーにより偏心カム部材を所定の固定解除角度位置に操作した場合に押輪固定板の固定溝を押輪の押圧フランジから外れた固定解除位置とするように構成されたため、操作レバーによる偏心カム部材の回転により押輪固定板を上下に昇降操作することで、雌継手と雄継手の連結状態での押輪に対する押輪固定板の着脱が簡単にでき、このとき押輪固定板が押圧フランジを固定する位置に入らなければ、雌継手と雄継手の連結は不完全な状態にあることが簡単に分かり、雄継手に対し雌継手を嵌め直して押輪固定板が押圧フランジを固定する位置に入るようにすることで、確実に連結固定できる。
【００３５】
（押輪固定機構２による前傾扉の閉鎖阻止）
また、操作レバーの固定解除角度位置を、消火栓装置の前傾扉の閉鎖を妨げる位置としたため、消防用ホースの連結を忘れたまま消火栓装置の前傾扉を閉鎖しようとすると、操作レバーに前傾扉が当たって閉鎖することができず、消防用ホースの連結を忘れたままに点検を終了することが確実に防止できる。
【００３６】
（第４発明の効果）
本発明の他の形態にあっては、先端にノズルが装着された消防用ホースの付け根側に配置され、連結穴の内周に径方向に出没自在に係止爪が配置された雌継手と、少なくとも消火栓弁を備えた給水配管の終端に配置され、先端外周に環状突起が形成され、環状突起を雌継手の連結穴に挿入した場合に係止爪を押し上げてその先に移動して抜け止め状態に連結固定される雄継手と、雄継手の外周に軸方向に摺動自在に配置される円筒体と、円筒体の後端に形成された押圧フランジとで構成され、雌継手と雄継手が連結固定された状態で、円筒体を雌継手の連結穴と雄継手との間の隙間に押し込むことによる係止爪の押し上げにより雌継手と雄継手との連結固定を解除させる押輪とを備えた消火栓装置のホース接続装置に於いて、レバー操作により押輪を雄継手に対する雌継手の連結位置と連結解除位置とに移動させる押輪駆動機構が設けられたため、ホース継手の連結を解除する場合に、レバー操作による偏心カム部材の回動で押輪を雌継手側に押し込んで連結固定を解除することができ、ホース継手の収納スペースが限られ、また、年に１回程度の点検のため、ホース継手が固着していても、簡単に消防用ホースの連結を解除して取り外すことができる。
【００３７】
また、操作レバーの位置により雌継手と雄継手の連結固定状態と連結解除状態が容易に分かり、放出点検時やホース交換時に安心して消防用ホースを着脱することができ、また、点検終了後に消防用ホースを装着した場合にも正常に装着できたか簡単に確認でき、人為的なミスを未然に防止可能とする。
【００３８】
（第４発明の押輪駆動機構の効果）
また、押輪駆動機構は、雄継手を挟んで両側に起立された支持アームと、支持アームに軸支され、所定角度範囲となる連結角度位置と連結解除角度位置との間で回転されて、押輪を雄継手と雌継手の連結位置と連結解除位置との間で移動させる偏心カム部材と、偏心カム部材を連結角度位置と連結解除角度位置との間で回転操作させる操作レバーとを備えたため、雄継手が接続された給水配管を跨ぐように配置された操作レバーを回動させることで、狭いスペースであっても、押輪を雌継手側に押し込んで、簡単にホース継手の連結固定を解除できる。
【００３９】
（押輪の長手フランジ部による効果）
また、第１乃至第５発明のホース継手装置に於いて、押輪に形成された押圧フランジに、軸中心に対して外径両方向に張出した長手フランジ部が形成されたため、ホース継手装置が狭いスペースに設置されていても、サイズの大きな長手フランジ部が押輪に形成されているため、長手フランジ部を操作することで押輪を雌継手側に強く押し込んで消防用ホースの連結固定を解除でき、年に１回程度の点検のため、ホース継手が固着していても、簡単に消防用ホースの連結を解除して取り外すことができる。
【図面の簡単な説明】
【００４０】
【図１】トンネル用の消火栓装置を示した説明図
【図２】図１の筐体前面の扉を外して内部構造を示した説明図
【図３】ホース継手装置の第１実施形態を示した説明図
【図４】図３の押輪を取り出して示した説明図
【図５】図３の雄継手本体を取り出して示した説明図
【図６】ホース継手装置の第２実施形態を示した説明図
【図７】図６の雄継手本体を取り出して示した説明図
【図８】ホース継手装置の第３実施形態を示した説明図
【図９】ホース継手装置の第４実施形態を示した説明図
【図１０】図９のホース継手装置における連結時と連結解除時の押輪固定機構の動作状態を示した説明図
【図１１】ホース継手装置の第５実施形態を示した説明図
【発明を実施するための形態】
【００４１】
［消火栓装置の概要］
図１は消火栓扉と消火器扉の間に通報装置扉が設けられたトンネル用の消火栓装置を示した説明図、図２は図１の筐体前面の扉を外して内部構造を示した説明図である。
【００４２】
図１及び図２に示すように、消火栓装置１０は、消火栓側と消火器側に筐体１２−１，１２−２を分割した構造であり、前面に分割した化粧板１４−１，１４−２を各々装着し、筐体１２−１，１２−２に対し必要な機器及び部材を組付けた後に連結固定し、この状態でトンネル現場に搬入して架台１１上に設置している。
【００４３】
右側の化粧板１４−１の扉開口部１６は上下に２分割し、下側扉開口部にヒンジ１８により下向きに開く前傾扉２０が配置され、上側扉開口部にヒンジ２２により上向きに開く保守扉として機能する上扉２４が配置され、その内部にノズル付きのホースと消火栓弁を含むバルブ類が収納部されている。
【００４４】
扉開口部１６の左側には、ヒンジ２６により右に横開きする通報装置扉２８が設けられ、ここに赤色表示灯３０、発信機（手動通報装置）３２及び応答ランプ３４が設けられ、また通報装置扉２８の内側には電話ジャックが設けられている。
【００４５】
赤色表示灯３０は常時点灯し、消火栓装置１０の設置場所が遠方から分かるようにしている。火災時には、発信機３２を押して押し釦スイッチをオンすると、発信信号が監視室の防災受信盤に送信されて火災警報が出され、これに伴い応答信号が防災受信盤から送られて、応答ランプ３４及び赤色表示灯３０が点滅する。
【００４６】
発信機３２は通報装置扉２８の前面となるパネル面側の装着穴に保護カバーが設けられており、保護カバーを押し込むと装着穴から外れて内部の押し釦スイッチの操作ノブが押し込まれ、押し釦スイッチがオンして発信信号が送信される。
【００４７】
通報装置扉２８の左側には、ヒンジ３６により左に横開きする消火器扉３８が設けられ、内部に２本の消火器を収納可能としている。消火器扉３８はマグネットラッチ４０により閉鎖位置に保持されており、扉右端の略中央に設けたハンドル４２を手前に引くことで、磁気吸着による閉鎖保持を解除して消火器扉３８を左側に開くことができる。また、消火器扉３８の下側には覗き窓４４が設けられ、外部から消火器の収納状態の有無を確認可能としている。
【００４８】
図２に示すように、筐体１２−１の左側にはホース収納部４７が形成され、続いてバルブ類収納部４６が形成され、右側には消火器収納部４８が形成されている。ホース収納部４７には、ホースバケット構造７２が設けられる。
【００４９】
ホースバケット構造７２は、筐体１２−１の前面開口の左右方向における略中央となる位置に、ホース取出口７４が仕切り形成されるようにパイプ部材が配置される。ホース収納部４７には消防用ホース６６が内巻きにより収納されている。消防用ホース６６の先端には消火用ノズル７０が装着され、消火用ノズル７０はノズルホルダー６８に着脱自在に係止されている。
【００５０】
バルブ類収納部４６には、ポンプ設備からの配管を接続する消火栓接続口５０から消防用ホース６６に至る配管系統に、給水栓５２、消火栓弁５４、自動調圧弁５６等が設けられており、消火栓弁５４は消火栓弁開閉レバー５４ａにより開放操作され、図示しない消火栓弁開放スイッチをオンしてポンプ起動信号を外部に出力するようにしている。
【００５１】
自動調整弁５６の２次側となる給水配管５８に対し消防用ホース６６が町野式のホース継手装置６０により着脱自在に連結固定されている。ホース継手装置６０は、配管ホルダー５５で支持された給水配管５８の先端に雄継手６２が装着され、消防用ホース６６の根本に雌継手６４が装着され、固定側の雄継手６２に対し消防用ホース６６側の雌継手６４を嵌め込むことで連結固定されている。
【００５２】
［ホース継手装置の第１実施形態］
図３はホース継手装置の第１実施形態を示した説明図であり、図３（Ａ）は連結解除状態を示し、図３（Ｂ）は連結固定状態を示す。図４は図３の押輪を取り出して示した説明図であり、図４（Ａ）は背面を示し、図４（Ｂ）は図４（Ａ）のＸ−Ｘ断面を示し、図４（Ｃ）は図４（Ａ）のＹ−Ｙ断面を示す。図５は図３の雄継手本体を取り出して示した説明図である。
【００５３】
（町野式のホース継手）
図３に示すように、本実施形態にあっては、ホース継手として町野式のホース継手を使用している。町野式のホース継手は、雄継手６２と雌継手６４で構成される。
【００５４】
雄継手６２は、図５に示すように、雄継手本体８０における円筒部の先端外周に環状突起８２が形成され、円筒部８０ａの後端外周には接続ねじ部８０ｂが形成され、給水配管５８の先端にねじ込み固定されている。雄継手本体８０における円筒部８０ａの外側には押輪８４が摺動自在に嵌め込まれている。
【００５５】
押輪８４は図４に取り出して示すように、軸穴８４ｂを備えた円筒体８４ａの一端に押圧フランジ８６が形成されており、押圧フランジ８６には左右横方向の外径側に向けて張出した一対の長手フランジ部８６ａが一体に形成されている。
【００５６】
図３に示すように、雌継手６４は、雌継手本体９２の開口側に受け部材８８が配置され、受け部材８８の外周にはゴム製の操作リング９０が装着されている。受け部材８８に続いてはスペーサリング９４を介して係止爪９５が円周方向に分割して配置され、係止爪９５はその外側に配置されたリングバネ９６に抗して半径方向に出没自在に配置されている。係止爪９５に続いては雌継手本体９２の開口部内側に嵌合受け溝９８が形成され、嵌合受け溝９８にはシールリング１００が嵌め込まれている。また、雌継手本体９２の外側は段付き溝を持つホース接続部１０２が形成され、ここに保形型の消防用ホース６６の後端が嵌め込み固定されている。
【００５７】
このような町野式のホース継手は、図３（Ａ）に示すように、給水配管５８側となる雄継手６２の雄継手本体８０に対し、消防用ホース６６側となる雌継手６４を押し当てて嵌め入れることで、図３（Ｂ）に示すように連結固定される。
【００５８】
この連結固定は、雄継手６２の先端の環状突起８２が雌継手６４における係止爪９５の傾斜面に当たって外周方向に押し上げ、環状突起８２が嵌合受け溝９８に嵌り込むと係止爪９５が押し戻されて環状突起８２の後端に嵌合して抜け止めした状態となる。
【００５９】
図３（Ｂ）のように連結固定されたホース継手を外す場合には、押圧フランジ８６の長手フランジ部８６ａ（図４参照）を指で雌継手６４側に押し込むと、押輪８４の先端が係止爪９５の径斜面に当たって外側に押し上げられることで係止爪９５による環状突起８２の係止が解除され、図３（Ａ）に示すように、雄継手６２から雌継手６４を取り外すことができる。
【００６０】
（ホース継手装置の連結解除の表示構造）
図３に示すように、本実施形態のホース継手装置は、図５に取り出して示した雄継手６２の雄継手本体８０における円筒部８０ａの外周に色帯１０４が配置されている。色帯１０４はホース継手が連結解除状態にあることを外部から視認可能とするものであり、例えば、赤のカラーバンドとして配置されている。
【００６１】
図３（Ａ）に示すように、雄継手６２から雌継手６４が外された状態にあっては、雄継手６２の雄継手本体８０の外周に配置された押輪８４が先端の環状突起８２に当たる位置に摺動していると、雄継手本体８０の外周に配置された色帯１０４は外部から視認可能な状態に表れる。
【００６２】
これに対し図３（Ｂ）に示すように、雄継手６２に対し雌継手６４を連結固定した場合には、押輪８４は雌継手６４の係止爪９５に押されて給水配管５８の管端に当接する位置に摺動し、このため色帯１０４は押輪８４により隠されて見えなくなる。
【００６３】
このため、雄継手６２に対し消防ホース６６の雌継手６４を連結固定した場合に、図３（Ｂ）のように雄継手６２の色帯１０４が隠されて見えない状態であれば、消防用ホース６６の連結固定が確実に行われていることを容易に確認できる。
【００６４】
これに対し雄継手６２に対し消防ホース６６の雌継手６４を連結固定した場合に、雄継手６２側に色帯１０４の一部が見えたような場合には、雄継手６２に対し雌継手６４が完全に連結固定されていない状態にあることが容易に分かり、色帯１０４が隠れるように連結固定をやり直すことで、消防用ホース６６の連結固定を確実に行うことができる。
【００６５】
この結果、消防用ホース６６を取り外して行う放出点検時やホース交換時に安心して消防用ホース６６を着脱することができ、また、点検終了後に消防用ホース６６を装着した場合にも正常に装着できたか簡単に確認でき、人為的なミスを未然に防止することができる。
【００６６】
また、雄継手６２に設けられた押輪８４は、図４に示すように、円筒体８４ａの押圧フランジ８６として軸中心に対して外径両方向に長手フランジ部８６ａが張出し形成されており、図２に示したように、ホース継手装置６０が狭いスペースに設置されていても、サイズの大きな長手フランジ部８６ａが押輪８４に形成されているため、長手フランジ部８６ａを手先で押すことで、押輪８４を雌継手６４側に強く押し込んで消防用ホース６６の連結固定を解除することができ、年に１回程度の点検のため、ホース継手装置６０が固着していても、簡単に消防用ホース６６の連結を解除して取り外し、放出点検を行うことができる。
【００６７】
［ホース継手装置の第２実施形態］
図６はホース継手装置の第２実施形態を示した説明図であり、図６（Ａ）は連結解除状態を示し、図６（Ｂ）は連結状態を示す。図７は図６の雄継手本体を取り出して示した説明図である。
【００６８】
図６に示すように、本実施形態のホース継手装置は、図３に示した第１実施形態と同様に、町野式ホース継手を使用しており、町野式ホース継手の雄継手６２と雌継手６４の構造及び機能は図３と同じになることから、同一符号を付して説明は省略する。
【００６９】
本実施形態にあっては、雄継手６２の雄継手本体８０における環状突起８２の後方となる円筒部の外周に、押輪８４に続いて軸方向に摺動自在に移動リング１０６が配置されている。
【００７０】
移動リング１０６は先端にフランジ１０８が形成され、フランジ１０８の円周面の複数個所に前方に向けてロッド１１０が起立され、ロッド１１０は押輪８４の長手フランジ部８６ａに当接することで、押輪８４と移動リング１０６との間に所定間隔が形成されるように規制している。
【００７１】
また、移動リング１０６の後方の端面には、円周方向に複数個所に分けてバネ穴１１４が形成され、バネ穴１１４にはコイルバネ１１６が嵌め込まれ、コイルバネ１１６の右端は給水配管５８の端面に当接している。また、移動リング１０６のバネ穴１１４に相対した給水配管５８の端面にはガイドピン１１８が起立されており、コイルバネ１１６が外れないようにガイドしている。
【００７２】
雄継手６２の雄継手本体８０は、図７に取り出して示すように、円筒体８０ａの外周の２箇所に割けて第１色帯１２０と第２色帯１２２が配置されている。
第１色帯１２０はホース継手装置の連結解除状態を表示するものであり、例えば赤のカラーバンドとして配置されている。第２色帯１２２はホース継手装置の連結固定状態を表示するものであり、例えば緑又は青のカラーバンドとして配置されている。
【００７３】
図６（Ａ）に示すように、雄継手６２から雌継手６４が外された状態にあっては、コイルバネ１１６の伸展により移動リング１０６が左側に押され、ロッド１１０を介して押輪８４を環状突起８２の右端に当接させた位置としており、このため押輪８４と移動リング１０６との間の隙間に雄継手本体８０の外周に配置された第１色帯１２０が位置し、第１色帯１２０による赤のカラーバンドを外部から視認可能な状態に現れる。
【００７４】
これに対し図６（Ｂ）に示すように、雄継手６２に対し雌継手６４を連結固定した場合には、押輪８４は雌継手６４の係止爪９５に押され、押輪８４の移動に対しロッド１１０を介して移動リング１０６がコイルバネ１１６を圧縮して移動し、このような押輪８４と移動リング１０６の移動に伴い、押輪８４により第１色帯１２０が隠され、押輪８４と移動リング１０６との間の隙間に雄継手本体８０の外周に配置された第２色帯１２２が位置し、第２色帯１２２による緑又は青のカラーバンドが外部から視認可能な状態に現れる。
【００７５】
このため、雄継手６２に対し消防ホース６６の雌継手６４を連結固定した場合に、図６（Ｂ）のように雄継手６２の第１色帯１２０が隠されて見えず、第２色帯１２２が見えた状態であれば、消防用ホース６６の連結固定が確実に行われていることを容易に確認できる。
【００７６】
これに対し雄継手６２に対し消防ホース６６の雌継手６４を連結固定した場合に、雄継手６２側に第１色帯１２０の一部と第２色帯１２２の一部が隣接して見えたような場合には、雄継手６２に対し雌継手６４が完全に連結固定されていない状態にあることが容易に分かり、第１色帯１２０が隠れて第２色帯１２２が現れるように連結固定をやり直すことで、消防用ホース６６の連結固定を確実に行うことができる。
【００７７】
この結果、消防用ホース６６を取り外して行う放出点検時やホース交換時に安心して消防用ホース６６を着脱することができ、また、点検終了後に消防用ホース６６を装着した場合にも正常に装着できたか簡単に確認でき、人為的なミスを未然に防止することができる。
【００７８】
なお、バネ穴１１４、コイルバネ１１６、ガイドピン１１８により移動リング１０６を付勢する構造は、これに限定されず、例えば、移動リング１０６と給水配管５０の管端との間の雄継手本体８０の外周にコイルバネを巻着した構造としても良い。
【００７９】
［ホース継手装置の第３実施形態］
図８はホース継手装置の第３実施形態を示した説明図であり、図８（Ａ）に正面を示し、図８（Ｂ）に給水配管側から見た側面を示す。
【００８０】
図８に示すように、本実施形態のホース継手装置は、雄継手６２に雌継手６４が連結固定された状態で所定位置に摺動された押輪８４の押圧フランジ８６に係合する押輪固定機構１２４が設けられたことを特徴とする。
【００８１】
押輪固定機構１２４は、雄継手６２が連結された給水配管５８を跨いて固定台１２６が配置され、固定台１２６にヒンジ１３４を介して押輪８４の外周周りに開閉自在に押輪固定板１２８が配置される。押輪固定板１２８は押輪８４の押圧フランジ８６における長手フランジ部８６ａの部分を挟む固定溝１３２が両側の固定爪１３０の間に形成されている。なお、押輪固定板１２８はその形状を分かりやすくするため砂地で示している。
【００８２】
また、押輪固定板１２８のヒンジ１３４側には操作レバー１３６が起立されており、操作レバー１３６により押輪固定板１２８を押輪８４の固定位置と、想像線で示す操作レバー１３６ａによる押輪固定板１２８ａの固定解除位置とに操作させる。
【００８３】
固定台１２６の上部には、図８（Ｂ）に示すように、上向きに開いたレバーホルダ−１３８が配置され、想像線で示す操作レバー１３６ａのように倒して押輪固定板１２８を固定解除した場合に、倒した操作レバー１３６ａを保持するようにしている。
【００８４】
このような押輪固定機構１２４によれば、図８に示すように、雄継手６２に消防用ホース６６の雌継手６４が連結固定された状態では、操作レバー１３６を手前に引いて立てることで、ヒンジ１３４を介して回動された押輪固定板１２８の固定溝１３２に押輪８４の長手フランジ部８６ａが入り、長手フランジ部８６ａの両側に固定爪１３０が位置して押輪８４の動きを規制した固定状態とする。
【００８５】
これに対し雄継手６２に対し消防ホース６６の雌継手６４を連結固定したが、完全に連結固定されていない場合には、操作レバー１３６を手前に引いて立てようとしても、押輪固定板１２８の固定溝１３２に押輪８４の長手フランジ部８６ａが入らずに右側の固定爪１３０が当たった状態となり、雌継手６４と雄継手６２の連結は不完全な状態にあることが簡単に分かり、雄継手６２に対し雌継手６４を嵌め直し、再度、操作レバー１３６を操作し、押輪固定板１２８の固定溝１３２に押輪８４の長手フランジ部８６ａが入って固定することで、雄継手６２に対し消防用ホース６６の雌継手６４を確実に連結固定された状態とすることができる。
【００８６】
また、雄継手６２に消防用ホース６６の雌継手６４を連結固定したが、押輪固定機構１２４を押輪固定位置に操作することなく消火栓装置の前傾扉２０を閉鎖しようとした場合、押輪固定板１２８は固定解除位置で図８（Ｂ）の想像線で示す押輪固定板１２８ａのように、前方に突出した位置にあり、ヒンジ１８を中心に前傾扉２０を想像線の前傾扉２０ａに示すように閉じようとすると、停止解除位置にある押輪固定板１２８ａに当たって閉鎖できない。
【００８７】
このため点検員等は、前傾扉２０を閉鎖するためには、押輪固定板１２８を押輪８４の固定位置とする操作を必ずしなければならず、これは雄継手６２に対する消防用ホース６６の雌継手６４の連結固定を確認する操作となり、ホース継手装置による連結固定の確認を忘れて点検を終了してしまうことを確実に防止できる。
【００８８】
［ホース継手装置の第４実施形態］
図９はホース継手装置の第４実施形態を示した説明図であり、図９（Ａ）に正面を示し、図９（Ｂ）に給水配管側から見た側面を示す。図１０は図９のホース継手装置における連結時（図１０（Ａ））と連結解除時（図１０（Ｂ））の押輪固定機構の動作状態を示した説明図である。
図９に示すように、本実施形態のホース継手装置は、雄継手６２に雌継手６４が連結固定された状態で所定位置に摺動された押輪８４の押圧フランジ８６に係合する押輪固定機構１２４が設けられ、本実施形態の押輪固定機構１２４は押輪固定板１４２の昇降により固定位置と固定解除位置に操作するようにしたことを特徴とする。
【００８９】
本実施形態の押輪固定機構１２４は、雄継手６２が連結された給水配管５８を跨いて固定台１４０が配置され、固定台１４０の上部には支持台１４８が配置され、カムシャフト１５２により回動自在に偏心カム１５０が設けられている。カムシャフト１５２は支持台１４８の上下方向に形成されたガイド溝１５４に沿って移動可能としている。
【００９０】
偏心カム１５０は例えば楕円カムであり、図９（Ｂ）に示すように、長軸Ｌ１と短軸Ｌ２をもつ楕円の１／４部分を使用しており、楕円部分の外側は矩形とし、このため楕円面は終端で直線部分に続いている。
【００９１】
偏心カム１５０のカムシャフト１５２には操作レバー１５８が起立され、また、カムシャフト１５２には押輪固定板１４２が連結されている。押輪固定板１４２は押輪８４の押圧フランジ８６における長手フランジ部８６ａの部分を挟む固定溝１４６が両側の固定爪１４４の間に形成されている。
【００９２】
操作レバー１５８により偏心カム１５０は、押輪固定板１４２を固定位置とする図示の固定角度位置と押輪固定板１４２を９０度左回りした固定解除角度位置との間で回転され、ガイド溝１５４に沿ってカムシャフト１５２を押輪固定板１４２の図示の固定位置と上方にリフトした固定解除位置との間で移動させる。
【００９３】
支持台１４８の上部にはレバー嵌合溝１５６が形成され、図示のように、押輪固定板１４２を固定位置に操作した状態で操作レバー１５８を嵌合して保持するようにしている。
【００９４】
このような押輪固定機構１２４によれば、雄継手６２に消防用ホース６６の雌継手６４が連結固定された状態では、図１０（Ａ）に示すように、操作レバー１５８を奥行方向に回して立てることで、偏心カム１５０は短軸Ｌ２距離で固定台１４０に接してカムシャフト１５２を最も低い位置とし、これにより押輪固定板１４２のガイド溝１５４に押輪８４の長手フランジ部８６ａが入り込み、長手フランジ部８６ａの両側に固定爪１４４が位置して押輪８４の動きを規制した固定状態とする。
【００９５】
これに対し消防用ホース６６の雌継手６４を雄継手６２から外す場合には、図１０（Ｂ）に示すように、操作レバー１５８を手前に倒し、偏心カム１５０を左回りに回動することで、偏心カム１５０の長軸Ｌ１の距離で固定台１４０に接してカムシャフト１５２を最も高い位置とし、これにより押輪固定板１４２は上方にリフトされて押輪８４の長手フランジ部８６ａから外れた位置となり、長手フランジ部８６ａにより押輪８４を雌継手６４側に押し込むことで連結固定を解除して消防用ホース６６を取り外すことができる。
【００９６】
放出点検の終了により消防用ホース６６の雌継手６４を雄継手６２に連結した場合には、正常に連結固定されていれば、図１０（Ａ）に示すように、操作レバー１５８を奥行方向に回動操作すると、押輪固定板１４２が固定位置に下降し、連結固定が確認できる。
【００９７】
これに対し雄継手６２に対し消防ホース６６の雌継手６４を連結固定したが、完全に連結固定されていない場合には、操作レバー１５８を奥行方向に回動して立てようとしても、押輪固定板１４２の固定溝１４６に押輪８４の長手フランジ部８６ａが入らずに右側の固定爪１４４が当たった状態となり、雌継手６４と雄継手６２の連結は不完全な状態にあることが簡単に分かり、雄継手６２に対し雌継手６４を嵌め直し、再度、操作レバー１５８を操作することで押輪固定板１４２の固定溝１４６に押輪８４の長手フランジ部８６ａが入って固定することで、雄継手６２に対し消防用ホース６６の雌継手６４を確実に連結固定させることができる。
【００９８】
また、雄継手６２に消防用ホース６６の雌継手６４を連結固定したが、押輪固定機構１２４を押輪固定位置に操作することなく消火栓装置の前傾扉２０を閉鎖しようとした場合、操作ハンドル１５８は固定解除位置で図１０（Ｂ）に示すように前方に突出した位置にあり、ヒンジ１８を中心に前傾扉２０を閉じようとすると、停止解除位置にある操作レバー１５８に当たって閉鎖できない。
【００９９】
このため点検員等は、前傾扉２０を閉鎖するためには、押輪固定板１４２を押輪８４の固定位置とする操作レバー１５８の操作を必ずしなければならず、これは雄継手６２に対する消防用ホース６６の雌継手６４の連結固定を確認する操作となり、ホース継手装置による連結固定の確認を忘れて点検を終了してしまうことを確実に防止できる。
【０１００】
［ホース継手装置の第５実施形態］
図１１はホース継手装置の第５実施形態を示した説明図であり、図１１（Ａ）に正面を示し、図１１（Ｂ）に給水配管側から見た側面を示す。
【０１０１】
図１１に示すように、本実施形態は、ホース継手装置に、レバー操作により押輪８４を雄継手６２に対する雌継手６４の連結位置と連結解除位置とに移動させる押輪駆動機構１６０が設けられたことを特徴とする。
【０１０２】
押輪駆動機構１６０は、雄継手６２が連結された給水配管５８の下側に固定台１６２が配置され、固定台１６２から起立された一対の支持アーム１６２ａにカムシャフト１６６により偏心カム１６４が回転自在に軸支され、カムシャフト１６６には一対の操作レバー１６８が固定され、操作レバー１６８の先端は操作ハンドル１７０で連結されている。
【０１０３】
偏心カム１６４は、図示の操作レバー１６８の位置と想像線で示す操作レバー１６８ａの位置との間の回動操作に伴い回動される。操作レバー１６８が図示の位置にある場合、偏心カム１６４は、雄継手６２に摺動自在に設けた押輪８４を、雄継手本体８０の環状突起８２に当接させる図示の偏心カム１６４の連結解除角度にある。
【０１０４】
また、想像線で示す操作レバー１６８ａの位置に操作した場合、偏心カム１６４は右回りに回動し、押輪８４の押し込みを解除して給水配管５８の管端に当接するまで移動可能とする想像線で示す偏心カム１６４ａの連結角度位置に回動される。
【０１０５】
このような押輪駆動機構１６０を備えたホース継手装置にあっては、雄継手６２に消防用ホース６６の雌継手６４が連結固定された状態では、操作レバー１６８は想像線で示す操作レバー１６８ａの位置にあり、偏心カム１６４は想像線で示す偏心カム１６４ａの位置に回動して押輪８４の押し込みが解除されており、雄継手６２に対する消防用ホース６６の雌継手６４の連結固定が維持されている。
【０１０６】
放出点検等のために消防用ホース６６の雌継手６４を雄継手６２から外す場合には、想像線で示す位置にある操作レバー１６８ａを矢印で示すように操作レバー１６８の位置に回動すると、これに伴う偏心カム１６４の回転で押輪８４が押し出され、図３に示した雌継手６４の係止爪９５による雄継手６２の環状突起８２の係合が解除され、消火用ホース６６の雌継手６４を雄継手６２から取り外すことかできる。
【０１０７】
このため消火用ホース６６の雌継手６４を雄継手６２から取り外す場合、狭いスペースで押輪８４の長手フランジ部８６ａを手で押し込む操作が不要となり、操作レバー１６８の操作で良いことから、年に１回程度の点検のため、ホース継手装置６０が固着していても、簡単に消防用ホース６６の連結を解除して取り外し、放出点検を行うことができる。
【０１０８】
また、図１１の実施形態の雄継手６２に、図３の実施形態と同様に、消火用ホース６６の雌継手６４を雄継手６２に対する連結固定状態で隠れる色帯１０４を配置しておくことで、消防用ホース６６を取り外して行う放出点検時やホース交換時に安心して消防用ホース６６を着脱することができ、また、点検終了後に消防用ホース６６を装着した場合にも正常に装着できたか簡単に確認できる。
【０１０９】
更に、図１１の実施形態の雄継手６２に、図６に示した第１色帯１２０と第２色帯１２２を雄継手６２側に設けて連結固定状態と連結解除状態を確認できるようにしても良い。
【０１１０】
［本発明の変形例］
上記の実施形態は、トンネル用消火栓装置を例にとっているが、これに限定されず、町野式のホース継手を用いて給水配管に消防用ホースを着脱自在に連結している適宜の消火栓装置のホース継手装置に適用できる。
【０１１１】
また、上記の実施形態は、雄継手の押輪フランジに長手フランジ部を形成した押輪を使用しているが、長手フランジ部のないリング状の押輪フランジが形成された押輪であっても良い。
【０１１２】
また、本発明は、その目的と利点を損なうことのない適宜の変形を含み、更に上記の実施形態に示した数値による限定は受けない。
【符号の説明】
【０１１３】
１０：消火栓装置
１１：架台
１６：扉開口部
２０：前傾扉
２４：上扉
２８：通報装置扉
３０：赤色表示灯
３２：発信機
３４：応答ランプ
３８：消火器扉
４６：バルブ類収納部
４７：ホース収納部
４８：消火器収納部
５２：給水栓
５４：消火栓弁
５５：配管ホルダー
５６：自動調圧弁
５８：給水配管
６０：ホース継手装置
６２：雄継手
６４：雌継手
６６：消防用ホース
６８：ノズルホルダー
７０：消火用ノズル
７２：ホースバケット構造
７４：ホース取出口
８０：雄継手本体
８２：環状突起
８４：押輪
８６：押圧フランジ
８６ａ：長手フランジ部
８８：受け部材
９０：操作リング
９２：雌継手本体
９４：スペーサリング
９５：係止爪
９６：リングバネ
９８：嵌合受け溝
１００：シールリング
１０２：ホース接続部
１０４：色帯
１０６：移動リング
１０８：フランジ
１１０：ロッド
１１４：バネ穴
１１６：コイルバネ
１１８：ガイドピン
１２０：第１色帯
１２２：第２色帯
１２４：押輪固定機構
１２６，１４０，１６２：固定台
１２８，１４２：押輪固定板
１３０，１４４：固定爪
１３２，１４６：固定溝
１３４：ヒンジ
１３６，１５８，１６８：操作レバー
１４８：支持台
１５０，１６４：偏心カム
１５２，１６６：カムシャフト
１５４：ガイド溝
１５６：レバー嵌合溝
１６０：押輪駆動機構
１６２ａ：支持アーム
１７０：操作ハンドル
【図１】
2018157960.tif 000003
【図２】
2018157960.tif 000004
【図３】
2018157960.tif 000005
【図４】
2018157960.tif 000006
【図５】
2018157960.tif 000007
【図６】
2018157960.tif 000008
【図７】
2018157960.tif 000009
【図８】
2018157960.tif 000010
【図９】
2018157960.tif 000011
【図１０】
2018157960.tif 000012
【図１１】
2018157960.tif 000013